【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
デジタル伝送リンクにおいて、クライアントがホストと同期していることを確認し、第１の数のデータチャネルから第２の数のデータチャネルへの動的な変更を実行する方法であって、
前記ホストによって逆方向カプセル化パケットを前記クライアントに送ることと、
前記クライアントから前記ホストに応答パケットを送ることと、
前記応答パケットが前記ホストで適切に受け取られたことを前記ホストによって確認することと、
前記クライアントに、前記第１の数のデータチャネルを使用することから前記第２の数のデータチャネルを使用することへハンドオフするように命令することと、
のステップを備える方法。
【請求項２】
前記クライアントから前記ホストに応答パケットを送ることの前記ステップは、クライアント要求及びステータスパケットを送ることを備える、請求項１に記載の方法。
【請求項３】
前記ハンドオフは、独立した順方向リンクハンドオフと、独立した逆方向リンクハンドオフとを備える、請求項１に記載の方法。
【請求項４】
前記クライアントに前記ハンドオフの準備をさせるためにあらかじめ決められた時間量を提供すること、のステップをさらに備える請求項１に記載の方法。
【請求項５】
デジタル伝送リンクにおいて、クライアントがホストと同期していることを確認し、第１の数のデータチャネルから第２の数のデータチャネルへの動的な変更を実行するためのシステムであって、
前記ホストによって逆方向カプセル化パケットを前記クライアントに送るための手段と、
前記クライアントから前記ホストに応答パケットを送るための手段と、
前記応答パケットが前記ホストで適切に受け取られたことを前記ホストによって確認するための手段、
前記クライアントに、前記第１の数のデータチャネルを使用することから前記第２の数のデータチャネルを使用することへハンドオフするように命令するための手段と、
を備えるシステム。
【請求項６】
前記クライアントから前記ホストに応答パケットを送るための前記手段は、クライアント要求及びステータスパケットを送るための手段を備える、請求項５に記載のシステム。
【請求項７】
前記ハンドオフは、独立した順方向リンクハンドオフと、独立した逆方向リンクハンドオフとを備える、請求項５に記載のシステム。
【請求項８】
前記クライアントに前記ハンドオフの準備をさせるためにあらかじめ決められた時間量を提供するための手段、をさらに備える請求項５に記載のシステム。
【請求項９】
コンピュータ読み取り可能媒体を備えるコンピュータプログラム製品であって、
前記コンピュータ読み取り可能媒体は、
デジタル伝送リンクにおいて、クライアントがホストと同期していることを確認させ、第１の数のデータチャネルから第２の数のデータチャネルへの動的な変更を実行させる、ためのコード、
を備え、
前記コンピュータのコードは、
逆方向カプセル化パケットを前記ホストによって前記クライアントに送らせるためのコードと、
応答パケットを前記クライアントから前記ホストに送らせるためのコードと、
前記応答パケットが前記ホストで適切に受け取られたことを前記ホストによって確認させるためのコードと、
前記クライアントに、前記第１の数のデータチャネルを使用することから前記第２の数のデータチャネルを使用することへハンドオフさせるためのコードと、
を備える、
コンピュータプログラム製品。
【請求項１０】
応答パケットを前記クライアントから前記ホストに送らせるためのコードは、クライアント要求及びステータスパケットを送らせるためのコードを備える、請求項９に記載のコンピュータプログラム製品。
【請求項１１】
前記ハンドオフは、独立した順方向リンクハンドオフと、独立した逆方向リンクハンドオフとを備える、請求項９に記載のコンピュータプログラム製品。
【請求項１２】
前記クライアントに前記ハンドオフの準備をさせるためにあらかじめ決められた時間量を提供せるためのコード、をさらに備える請求項９に記載のコンピュータプログラム製品。
【請求項１３】
デジタル伝送リンクにおいて、第１の数のデータチャネルから第２の数のデータチャネルへの動的な変更を実行する方法であって、
前記第１の数のデータチャネルを使用することから前記第２の数のデータチャネルを使用することへハンドオフするようにクライアントに命令する実行型ハンドオフパケットを、前記クライアントに送ることと、
前記送られた実行型ハンドオフパケットに続くパケットを受け取りながら、前記クライアントによって前記第２の数のデータチャネルを受け取ることと、
のステップを備える方法。
【請求項１４】
ホストによって逆方向カプセル化パケットを前記クライアントに送ることと、
前記クライアントから前記ホストに応答パケットを送ることと、
前記応答パケットが適切に受け取られたことを前記ホストによって確認することと、
のステップをさらに備える請求項１３に記載の方法。
【請求項１５】
前記クライアントから前記ホストに応答パケットを送ることの前記ステップは、クライアント要求及びステータスパケットを送ることを備える、請求項１４に記載の方法。
【請求項１６】
前記実行型ハンドオフパケットは、独立した順方向リンクハンドオフパケットと、独立した逆方向リンクハンドオフパケットとを備える、請求項１３に記載の方法。
【請求項１７】
前記クライアントに前記第２の数のデータチャネルを受け取る準備をさせるためにあらかじめ決められた時間量を提供すること、のステップをさらに備える請求項１３に記載の方法。
【請求項１８】
デジタル伝送リンクにおいて、第１の数のデータチャネルから第２の数のデータチャネルへの動的な変更を実行するシステムであって、
前記第１の数のデータチャネルを使用することから前記第２の数のデータチャネルを使用することへハンドオフするようにクライアントに命令する実行型ハンドオフパケットを、前記クライアントに送るための手段と、
前記送られた実行型ハンドオフパケットに続くパケットを受け取りながら、前記クライアントによって前記第２の数のデータチャネルを受け取るための手段と、
を備えるシステム。
【請求項１９】
前記ホストによって逆方向カプセル化パケットを前記クライアントに送るための手段と、
前記クライアントから前記ホストに応答パケットを送るための手段と、
前記応答パケットが適切に受け取られたことを前記ホストによって確認するための手段と、
をさらに備える請求項１８に記載のシステム。
【請求項２０】
前記クライアントから前記ホストに応答パケットを送るための前記手段は、クライアント要求及びステータスパケットを送るための手段を備える、請求項１９に記載のシステム。
【請求項２１】
前記実行型ハンドオフパケットは、独立した順方向リンクハンドオフパケットと、独立した逆方向リンクハンドオフパケットとを備える、請求項１８に記載のシステム。
【請求項２２】
前記クライアントに前記第２の数のデータチャネルを受け取る準備をさせるためにあらかじめ決められた時間量を提供するための手段、をさらに備える請求項１８に記載のシステム。
【請求項２３】
コンピュータ読み取り可能媒体を備えるコンピュータプログラム製品であって、
前記コンピュータ読み取り可能媒体は、
デジタル伝送リンクにおいて第１の数のデータチャネルから第２の数のデータチャネルへの動的な変更を生じさせるためのコード、
を備え、
前記コンピュータのコードは、
前記第１の数のデータチャネルを使用することから前記第２の数のデータチャネルを使用することへハンドオフするようにクライアントに命令する実行型ハンドオフパケットを前記クライアントに送らせるためのコードと、
前記送られた実行型ハンドオフパケットに続くパケットが受け取られながら、前記第２の数のデータチャネルを前記クライアントによって受け取らせるためのコードと、
を備える、
コンピュータプログラム製品。
【請求項２４】
逆方向カプセル化パケットをホストによって前記クライアントに送らせるためのコードと、
応答パケットを前記クライアントから前記ホストに送らせるためのコードと、
前記応答パケットが適切に受け取られたことを前記ホストによって確認させるためのコードと、
をさらに備える請求項２３に記載のコンピュータプログラム製品。
【請求項２５】
応答パケットを前記クライアントから前記ホストに送らせるための前記コードは、クライアント要求及びステータスパケットを送らせるためのコードを備える、請求項２４に記載のコンピュータプログラム製品。
【請求項２６】
前記実行型ハンドオフパケットは、独立した順方向リンクハンドオフパケットと、独立した逆方向リンクハンドオフパケットとを備える、請求項２３に記載のコンピュータプログラム製品。
【請求項２７】
前記クライアントに前記第２の数のデータチャネルを受け取る準備をさせるためにあらかじめ決められた時間量を提供させるためのコード、をさらに備える請求項２３に記載のコンピュータプログラム製品。
【請求項２８】
モバイルディスプレイデジタルインタフェース（ＭＤＤＩ）通信システムにおいてディスプレイ属性を修正する方法であって、
前記の修正されたディスプレイ属性を備えるディスプレイパワー状態パケットをホストからクライアントに送ることと、
前記クライアントによって前記ディスプレイパワーパケットの受取りを確認することと、
前記クライアントによって、前記の修正されたディスプレイ属性をインプリメントすることと、
のステップを備える方法。
【請求項２９】
前記ディスプレイ属性は、ディスプレイパワー状態とバックライトパワー状態とを備える、請求項２８に記載の方法。
【請求項３０】
モバイルディスプレイデジタルインタフェース（ＭＤＤＩ）通信システムにおいてディスプレイ属性を修正するためのシステムであって、
前記の修正されたディスプレイ属性を備えるディスプレイパワー状態パケットをホストからクライアントに送るための手段と、
前記クライアントによって前記ディスプレイパワーパケットの受取りを確認するための手段と、
前記クライアントによって、前記の修正されたディスプレイ属性をインプリメントする、ための手段と、
を備えるシステム。
【請求項３１】
前記ディスプレイ属性は、ディスプレイパワー状態とバックライトパワー状態とを備える、請求項３０に記載のシステム。
【請求項３２】
コンピュータ読み取り可能媒体を備えるコンピュータプログラム製品であって、
前記コンピュータ読み取り可能媒体は、
モバイルディスプレイデジタルインタフェース（ＭＤＤＩ）通信システムにおいてディスプレイ属性の修正を生じさせるためのコード、
を備え、
前記コンピュータのコードは、
前記の修正されたディスプレイ属性を備えるディスプレイパワー状態パケットをホストからクライアントに送らせるためのコードと、
前記ディスプレイパワーパケットの受取りを前記クライアントによって確認させるためのコードと、
前記の修正されたディスプレイ属性を前記クライアントによってインプリメントさせるためのコードと、
を備える、
コンピュータプログラム製品。
【請求項３３】
前記ディスプレイ属性は、ディスプレイパワー状態とバックライトパワー状態とを備える、請求項３２に記載のコンピュータプログラム製品。
【請求項３４】
モバイルディスプレイデジタルインタフェース（ＭＤＤＩ）通信システムにおいてクライアント内でスケールドビデオストリームパケットからのピクセルデータを経路設定するための方法であって、
ホストから、前記クライアントによって、予め定義されたピクセルコンテンツを受け取ることと、
前記クライアントによって、前記予め定義されたピクセルコンテンツを特定のサイズに拡大縮小することと、
前記クライアントによって受け取られたピクセルデータ属性フィールドによって指定される複数のディスプレイバッファから少なくとも１つの特定のディスプレイバッファに前記の拡大縮小されたピクセルコンテンツを送ることと、
前記少なくとも１つの特定のディスプレイバッファの前記ピクセルコンテンツを表示することと、
を備える方法。
【請求項３５】
前記少なくとも１つの特定のディスプレイバッファは左眼あるいは右眼に表示される画像を含む、請求項３４に記載の方法。
【請求項３６】
現在表示されている前記画像をレフレッシュするためにディスプレイコントローラによって前記少なくとも1つの特定のディスプレイバッファを読み取ること、をさらに備える請求項３４に記載の方法。
【請求項３７】
前記少なくとも1つの特定のディスプレイバッファは、オフライン画像バッファを備える、請求項３４に記載の方法。
【請求項３８】
モバイルディスプレイデジタルインタフェース（ＭＤＤＩ）通信システムにおいてクライアント内でスケールドビデオストリームパケットからのピクセルデータを経路設定するためのシステムであって、
ホストから、前記クライアントによって、予め定義されたピクセルコンテンツを受け取るための手段と、
前記クライアントによって、前記予め定義されたピクセルコンテンツを特定のサイズに拡大縮小するための手段と、
前記クライアントによって受け取られたピクセルデータ属性フィールドによって指定される複数のディスプレイバッファから少なくとも１つの特定のディスプレイバッファに前記の拡大縮小されたピクセルコンテンツを送るための手段と、
前記少なくとも１つの特定のディスプレイバッファの前記ピクセルコンテンツを表示するための手段と、
を備えるシステム。
【請求項３９】
前記少なくとも１つの特定のディスプレイバッファは左眼あるいは右眼に表示される画像を含む、請求項３８に記載のシステム。
【請求項４０】
現在表示されている前記画像をレフレッシュするためにディスプレイコントローラによって前記少なくとも1つの特定のディスプレイバッファを読み取るための手段、をさらに備える請求項３８に記載のシステム。
【請求項４１】
前記少なくとも1つの特定のディスプレイバッファは、オフライン画像バッファを備える、請求項３８に記載のシステム。
【請求項４２】
コンピュータ読み取り可能媒体を備えるコンピュータプログラム製品であって、
前記コンピュータ読み取り可能媒体は、
モバイルディスプレイデジタルインタフェース（ＭＤＤＩ）通信システムにおいてクライアント内でスケールドビデオストリームパケットからのピクセルデータを経路設定させるためのコード、
を備え、
前記コンピュータのコードは、
予め定義されたピクセルコンテンツをホストから前記クライアントによって受け取らせるためのコードと、
前記予め定義されたピクセルコンテンツを前記クライアントによって特定のサイズに拡大縮小させるためのコードと、
前記の拡大縮小されたピクセルコンテンツを、前記クライアントによって受け取られたピクセルデータ属性フィールドによって指定される複数のディスプレイバッファから少なくとも１つの特定のディスプレイバッファに送らせるためのコードと、
前記少なくとも１つの特定のディスプレイバッファの前記ピクセルコンテンツを表示させるためのコードと、
を備える、
コンピュータプログラム製品。
【請求項４３】
前記少なくとも１つの特定のディスプレイバッファは左眼あるいは右眼に表示される画像を含む、請求項４２に記載のコンピュータプログラム製品。
【請求項４４】
現在表示されている前記画像をレフレッシュするためにディスプレイコントローラによって前記少なくとも1つの特定のディスプレイバッファを読み取る命令を生じさせるためのコード、をさらに備える請求項４２に記載のコンピュータプログラム製品。
【請求項４５】
前記少なくとも1つの特定のディスプレイバッファは、オフライン画像バッファを備える、請求項４２に記載のコンピュータプログラム製品。